(57)【要約】【課題】ユーザのプリファレンスを映像の視聴を中断することなく直接的に設定変更できる映像呈示装置、映像呈示方法、およびプログラムを提供すること。【解決手段】映像と共に映像オブジェクトを呈示する映像呈示装置は、プリファレンス項目からなるユーザプリファレンスを記憶する記憶手段と、データ項目をプリファレンス項目に照らして映像オブジェクトの表示方法を決定する表示方法決定手段と、該表示方法に従って映像オブジェクトの呈示を制御する呈示制御手段と、呈示された映像オブジェクトに対してユーザから与えられた選択指示を映像の呈示中に検出して選択する映像オブジェクト選択手段と、選択された映像オブジェクトのデータ項目を用いてユーザプリファレンスを参照し、表示方法が変化するように該当するプリファレンス項目を変更するプリファレンス変更手段とを備える。【選択図】図１
2006187034.tif 000002
【特許請求の範囲】
【請求項１】
映像と、該映像の少なくとも一部のまとまりについて記述されたデータ項目を有する映像オブジェクトとを呈示する映像呈示装置であって、
プリファレンス項目からなるユーザプリファレンスを記憶するプリファレンス記憶手段と、
前記データ項目を前記プリファレンス項目に照らして前記映像オブジェクトの表示方法を決定する表示方法決定手段と、
前記表示方法に従って前記映像オブジェクトの呈示を制御する呈示制御手段と、
前記映像とともに呈示された映像オブジェクトに対してユーザから与えられた選択指示を該映像の呈示中に検出することにより、該映像オブジェクトを選択する映像オブジェクト選択手段と、
前記映像オブジェクト選択手段により選択された映像オブジェクトのデータ項目を用いて前記ユーザプリファレンスを参照し、前記表示方法が変化するように該当するプリファレンス項目を変更するプリファレンス変更手段とを具備し、
前記プリファレンス変更手段は、呈示中の他の映像オブジェクトの表示状態への影響が最少となるよう変更対象のプリファレンス項目を決定することを特徴とする映像呈示装置。
【請求項２】
前記データ項目は映像オブジェクトの属性情報を含み、
前記プリファレンス記憶手段は、映像オブジェクトの属性情報と当該属性を有する映像オブジェクトの表示の可否を示す表示制御情報とを含むプリファレンス項目を記憶し、
前記プリファレンス変更手段は、他の映像オブジェクトの表示状態への影響が最少となる属性情報に関する表示制御情報を変更することを特徴とする映像呈示装置。
【発明の詳細な説明】
【技術分野】
【０００１】
本発明は映像呈示に関し、特に映像オブジェクトの表示又は非表示の制御において参照されるユーザの「好み」（「プリファレンス」という）を変更可能な映像呈示装置、映像呈示方法、およびプログラムに関する。
【背景技術】
【０００２】
動画中の人物や物体などの意味のある部分（以下、「映像オブジェクト」と呼ぶ）を映像全体とは別のまとまりとして記述して利用する技術の開発が従来から行われてきた。例えば、ＭＰＥＧ−４（Ｍｏｔｉｏｎ  Ｐｉｃｔｕｒｅ  Ｅｘｐｅｒｔｓ  Ｇｒｏｕｐ  ｐｈａｓｅ  ４）はＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）で標準化された動画圧縮方式であり、この中で規格化されているＡＶオブジェクトは動画中の人物や物体のみを別々に符号化するものである。ＭＰＥＧ−４のＡＶオブジェクトを使えば、例えばＡＶオブジェクトで符号化された人物の映像オブジェクトのみを非表示にするなど、映像オブジェクト単位でその表示方法を制御できる。しかし、ＭＰＥＧ−４は映像オブジェクトの符号化については規定しているものの、映像オブジェクトの利用についてまでは規定していない。
【０００３】
ＭＰＥＧ−７（Ｍｏｔｉｏｎ  Ｐｉｃｔｕｒｅ  Ｅｘｐｅｒｔｓ  Ｇｒｏｕｐ  ｐｈａｓｅ  ７）はＩＳＯで標準化された映像のメタデータ記述方式であり、ＭＰＥＧ−７において規定されているＳｐａｔｉｏ−Ｔｅｍｐｏｒａｌ  Ｌｏｃａｔｏｒ（ＳＴＬ）は映像オブジェクトの時空間内配置に関するものである。このＭＰＥＧ−７のＳＴＬによっても、映像オブジェクト単位でその表示方法を制御することが可能である。具体的には、例えば映像中のある人物像にモザイクをかけて隠すといった表示方法の制御が挙げられる。しかし、ＭＰＥＧ−７のＳＴＬは映像オブジェクトの時空間内配置を記述することはできるが、それだけで、記述された映像オブジェクトの表示方法を制御できるという訳ではない。
【０００４】
映像オブジェクトの利用に関し、特にユーザの好みに応じて映像オブジェクトの表示方法を制御する従来技術として下記特許文献１がある。この特許文献１に記載の従来技術は、映像を視聴するユーザがプロファイル（「プリファレンス」に相当するもの）を設定することができ、該プロファイルに応じて、映像オブジェクトを動的に別の映像オブジェクトに置換するというものである。プロファイルはユーザ自身の「好み」、「場所」等を表すデータを含んでおり、その設定は自由に変更することができる。
【０００５】
ここで、ある映像オブジェクトがユーザにとって好ましくないものであるとして誤って置換された場合には、これを修正することによって誤った置換が行われないようにプロファイルの設定内容を修正しなければならない。この場合、ユーザが修正を行うためのプロファイルの設定画面が起動されるが、同画面上での作業中は、映像の視聴を中断しなければならない。したがって、操作の快適性を向上するという点において技術的な課題がある。また通常はユーザプロファイルを複数設定できるようになっており、複数のユーザプロファイルのなかから置換映像オブジェクトを決定する過程がとりわけ複雑な場合、どのユーザプロファイルの要素をどのように変更すれば意図する映像オブジェクトに置換できるかをユーザが予想することは困難である。
【０００６】
ユーザプリファレンスに応じて映像オブジェクトの表示方法を制御する別の従来技術として下記特許文献２がある。これは、映像オブジェクトを例えば円形に塗りつぶしてユーザから見えなくするというものであり、ユーザの好み、見たくないものを設定することによって映像オブジェクトの表示と非表示とを制御できる。この従来技術でも同様に、ユーザの見たくない映像オブジェクトが誤って表示されている場合には、ユーザは映像の視聴を中断してプリファレンスを手動で設定し直さなければならない。また、変更結果を予想しながらプリファレンスをユーザの意図どおりに変更することも困難である。
【０００７】
さらに、シーン単位でユーザプリファレンスに応じて表示方法を制御する従来技術として下記特許文献３がある。これは、シーンの属性とユーザプリファレンスとを照らしあわせ、その結果に基づいてシーンを並び替えたりダイジェストを作成するというものであり、ユーザは、不快に感じるシーンが予め取除かれた番組を視聴することができる。しかし、この例ではユーザの見たくないシーンが誤って再生された場合には、ユーザプリファレンスを編集するために番組の視聴をやはり中断しなければならない。また、ユーザが見たくないシーンのみを番組から取除くことができるユーザプリファレンスの変更をユーザ自らが判断することも困難である。
【特許文献１】特開２００１−３５９０１３号公報
【特許文献２】特開２０００−４９８４７号公報
【特許文献３】特許第３２５０５０９号公報
【発明の開示】
【発明が解決しようとする課題】
【０００８】
本発明は、映像オブジェクトの呈示制御において参照されるユーザのプリファレンスを映像の視聴を中断することなく直接的に設定変更できる映像呈示装置、映像呈示方法、およびプログラムを提供することを目的とする。
【課題を解決するための手段】
【０００９】
本発明の一実施形態に係る映像呈示装置は、映像と、該映像の少なくとも一部のまとまりについて記述されたデータ項目を有する映像オブジェクトとを呈示する映像呈示装置であって、プリファレンス項目からなるユーザプリファレンスを記憶するプリファレンス記憶手段と、前記データ項目を前記プリファレンス項目に照らして前記映像オブジェクトの表示方法を決定する表示方法決定手段と、前記表示方法に従って前記映像オブジェクトの呈示を制御する呈示制御手段と、前記映像とともに呈示された映像オブジェクトに対してユーザから与えられた選択指示を該映像の呈示中に検出することにより、該映像オブジェクトを選択する映像オブジェクト選択手段と、前記映像オブジェクト選択手段により選択された映像オブジェクトのデータ項目を用いて前記ユーザプリファレンスを参照し、前記表示方法が変化するように該当するプリファレンス項目を変更するプリファレンス変更手段とを具備し、前記プリファレンス変更手段は、呈示中の他の映像オブジェクトの表示状態への影響が最少となるよう変更対象のプリファレンス項目を決定することを特徴とする。
【発明の効果】
【００１０】
本発明によれば、映像オブジェクトの呈示制御において参照されるユーザのプリファレンスを映像の視聴を中断することなく直接的に設定変更できる映像呈示装置、映像呈示方法、およびプログラムを提供できる。
【発明を実施するための最良の形態】
【００１１】
以下、図面を参照しながら本発明の実施形態を説明する。なお、実施形態の説明において例えばテレビなどで表示される動画像を「映像」と呼び、映像中の人物や物体などの意味のある部分を映像全体とは別のまとまりとして記述したものを「映像オブジェクト」と呼ぶ。映像オブジェクトは部分画像列でもよいし、映像中の部分を例えば座標値で表したメタデータでもよく、ここでは後者のメタデータが用いられるものとして説明する。
【００１２】
（第１の実施形態）  
図１は本発明の第１実施形態に係る映像呈示装置の概略構成図である。本装置は、ユーザプリファレンスに応じて映像オブジェクトを表示あるいは非表示にする映像オブジェクト呈示の基本的な機能を備えており、さらに映像オブジェクト表示方法の修正機能を備えたものであって、デジタルテレビ放送などの映像オブジェクトを含む映像信号Ｌ１００を受信して映像データＬ１０１と映像オブジェクトに関するメタデータである映像オブジェクトデータＬ１０２とを出力する映像受信部１００と、映像オブジェクトデータＬ１０２を蓄積してフレーム単位の映像オブジェクトデータＬ１０３を出力する映像オブジェクト蓄積部１０１と、ユーザのプリファレンスを記憶するプリファレンス記憶部１０３と、フレーム単位の映像オブジェクトデータＬ１０３を入力するとともにプリファレンスデータＬ１０４を参照し、どの映像オブジェクトを非表示にするかを決定するオブジェクト表示方法決定部１０２と、映像データＬ１０１と表示方法の指定を含むフレーム単位の映像オブジェクトデータＬ１０５を入力してユーザに呈示する呈示部１０４と、ユーザが表示方法を変更したい映像オブジェクトを選択するオブジェクト選択部１０５と、映像オブジェクト選択信号Ｌ１０６を入力するとオブジェクト選択部１０５で選択した映像オブジェクトの表示方法が変更されるようにプリファレンス記憶部１０３に記憶されたプリファレンスをプリファレンス変更指示信号Ｌ１０７によって変更するプリファレンス変更部１０６と、から構成される。
【００１３】
図２は本実施形態に係る映像呈示装置の外観を示す図である。本装置の筐体２００の上部には映像信号Ｌ１００を受信するためのアンテナ２０１が配置され、該筐体２００の正面には映像をユーザに呈示する呈示部１０４が配置され、呈示部１０４の前面にはユーザが映像オブジェクトを選択するためのオブジェクト選択部１０５が配置されている。呈示部１０４は例えば液晶ディスプレイからなり、オブジェクト選択部１０５は例えば感圧式タッチパネルおよびその制御回路から構成される。感圧式タッチパネルは、好ましくは液晶ディスプレイの画面の一部又は全部を覆うように密着される。感圧式タッチパネルは多数の領域に分割されており、ユーザが指などで所望の分割領域に圧力を加えると制御回路がこれを検知して選択信号を発生し、液晶ディスプレイ画面の対応する位置に表示されている映像オブジェクト等が選択される。
【００１４】
図３（ａ）は映像オブジェクトを含む映像信号Ｌ１００の一例を示している。図３（ａ）では、背景映像３００に、映像オブジェクト３０１、３０２、３０３、３０４が上書きされて表示されている。映像オブジェクト３０１は昆虫、映像オブジェクト３０２はウミヘビ、映像オブジェクト３０３は大きな魚、映像オブジェクト３０４は小さな魚を表している。図３（ｂ）は昆虫の映像オブジェクト３０１が昆虫の塗りつぶし図形３０５によって上書きされており、視聴者からはその態様がわからなくなっている。このとき、昆虫の映像オブジェクト３０１の表示状態は「非表示」であるという。図３（ｃ）はこれに加えてウミヘビの映像オブジェクト３０２がウミヘビの塗りつぶし図形３０６によって上書きされて非表示となった様子を表している。
【００１５】
以降では、図３（ａ）に示す映像を受信して、設定されたプリファレンスによって図３（ｂ）に示す表示が得られており、ユーザがさらにウミヘビの映像オブジェクト３０２を見たくないのでこれを非表示に変更して図３（ｃ）のように修正する場合を説明する。これを「ユーザプリファレンスの変更」という。
【００１６】
映像受信部１００は、例えばデジタルテレビチューナと、メタデータ分離回路により構成され、デジタルテレビチューナで受信した映像信号Ｌ１００をメタデータ分離回路で映像データＬ１０１と映像オブジェクトデータＬ１０２とに分離する。ここではデジタルテレビ放送信号である映像信号Ｌ１００には、映像データとメタデータが多重化されており、メタデータは例えばＡＲＩＢ ＳＴＤ−Ｂ３２のセクション形式で格納されているものとする。映像オブジェクトデータＬ１０２はその映像オブジェクトが出現する前に受信するものとし、映像受信部１００は映像データを１秒間に３０フレームの周期で受信するものとする。映像オブジェクトデータＬ１０２は当該映像オブジェクトが画面中でどこに表示されるかを表す図形情報を含む。
【００１７】
映像オブジェクト蓄積部１０１は例えばハードディスクから構成され、映像オブジェクトデータＬ１０２を図４に示すようなオブジェクト単位で蓄積し、この蓄積した映像オブジェクトデータＬ１０２を図５に示すようなフレーム単位の映像オブジェクトデータＬ１０３に変換して、映像データＬ１０１と同期させて出力する。図４の映像オブジェクトのうち、網掛けのものが現在表示されているフレームで出現する映像オブジェクトを表している。
【００１８】
図４は映像オブジェクト蓄積部１０１に蓄積される映像オブジェクトデータＬ１０２の一例を示している。映像オブジェクトデータＬ１０２は、ここでは複数のデータ項目、すなわち映像オブジェクトＩＤ４００、出現時刻４０１、消滅時刻４０２、図形情報列４０３、レーティング４０４、名称４０５を有しており、映像オブジェクト蓄積部１０１は映像オブジェクトデータＬ１０２を出現時刻４０１の早い順にテーブル形式の文字列として記憶する。レーティング４０４は一つの映像オブジェクトについて本実施形態では一つ指定されるものとする。映像オブジェクト蓄積部１０１では、既に消滅したデータは削除して、新規に入力されたデータをＩＤの順に並び替えて記憶する。
【００１９】
映像オブジェクトＩＤ４００は、映像（番組）中で唯一の識別子であり、同時に同じＩＤを有する映像オブジェクトは存在しないものとする。出現時刻４０１は映像オブジェクトが映像中で出現する時刻を表しており、消滅時刻４０２は映像オブジェクトが映像中で消滅する時刻を表している。図形情報列４０３は映像オブジェクトを囲う楕円に関する情報であり、中心点（ｘ，ｙ）、長径ｒ１、短径ｒ２、ｘ軸を基準とした傾きｓとから構成されるデータ列で表される。データ列は１秒周期で映像オブジェクトの位置が格納されている。レーティング４０４は例えば「気持ち悪い生物」、「危険な生物」など映像オブジェクトを説明する文字列データである。名称４０５は例えば「ウミヘビ」や「昆虫」などの映像オブジェクトの名称である。レーティングが付加されていない映像オブジェクトの場合には、この欄にはＮＵＬＬ文字列が記憶される。
【００２０】
図５はフレーム単位の映像オブジェクトデータＬ１０３の一例を示すものであり、映像オブジェクトデータＬ１０３は映像オブジェクトＩＤ５００、レーティング５０１、名称５０２、図形情報５０３から構成される。図形情報５０３はそのフレームでの映像オブジェクトの位置を示すものであり、図形情報列から線形補完して該当するフレームの図形情報５０３が得られる。フレーム単位の映像オブジェクトデータＬ１０３は映像受信部１００が１フレーム分の映像データＬ１０１を出力するタイミングで出力される。
【００２１】
プリファレンス記憶部１０３は例えばハードディスクにより構成され、例えば映像オブジェクトに付加された「気持ち悪い生物」や「危険な生物」といったレーティングについて、この映像オブジェクトを表示するか非表示にするかのユーザのプリファレンスを記憶する。
【００２２】
図６はプリファレンス記憶部１０３に記憶されたプリファレンスの一例を示すものであり、プリファレンスは、ユーザの好みをレーティング６００と、このレーティング６００に該当する映像オブジェクトを表示するか非表示にするかを意味する表示設定６０１とから構成されたテーブル形式で記憶される。例えば表示設定６０２では、危険な生物が「表示」に設定されており、設定６０３では「気持ち悪い生物」は「非表示」に設定されている。
【００２３】
オブジェクト表示方法決定部１０２は、フレーム単位の映像オブジェクトデータＬ１０３に含まれるレーティング情報と、プリファレンス記憶部１０３に記憶されたプリファレンスデータＬ１０４とをマッチングすることによって、どの映像オブジェクトを表示してどの映像オブジェクトを非表示にするかを決定し、表示方法の指定を含むフレーム単位の映像オブジェクトデータＬ１０５を出力する。
【００２４】
図７は表示方法の指定を含むフレーム単位の映像オブジェクトデータＬ１０５の例であり、図５に示したフレーム単位の映像オブジェクトデータの項目に表示設定７００を追加したものである。各映像オブジェクトの表示設定は、オブジェクト表示方法決定部１０２が図５に示すフレーム単位の映像オブジェクトデータＬ１０３を受信すると、各映像オブジェクトについてそのレーティングが図６に示すプリファレンスで表示設定がどのように設定されているかを調べることにより求められる。例えば、ウミヘビの映像オブジェクトのレーティングは「危険な生物」であり、これはプリファレンスによると「表示」に設定されていることから表示設定７０１は「表示」に決定される。「気持ち悪い生物」は「非表示」に設定されているため表示設定７００を「非表示」に決定される。
【００２５】
呈示部１０４は例えば液晶ディスプレイから構成され、映像データＬ１０１と表示方法の指定を含むフレーム単位の映像オブジェクトデータＬ１０５を受信して、このＬ１０５のうち表示設定７００で「非表示」に設定された映像オブジェクトを図形情報で定められた楕円で塗りつぶしてからディスプレイに表示する。
【００２６】
図３（ｂ）は図７に示した表示方法の指定を含むフレーム単位の映像オブジェクトデータＬ１０５を受信した場合の画面を表しており、昆虫の映像オブジェクト３０１が昆虫の塗りつぶし図形３０５で上書きされて見えなくなっている。
【００２７】
次に、本実施形態の特徴点の一つであるユーザプリファレンス変更機能について説明する。このユーザプリファレンス変更機能は、映像オブジェクトの呈示制御において参照されるユーザプリファレンスを映像の視聴を中断することなく直接的に設定変更できるというものである。
【００２８】
図８はオブジェクト選択部１０５によってユーザが映像オブジェクトを選択する様子を示している。オブジェクト選択部１０５は図２に示したように例えば感圧式タッチパネルからなり、ユーザがこの感圧式タッチパネル上の点を押すと、表示状態に関わらず画面上の全ての映像オブジェクトのうち、かかる押下点をその領域内に含んでいるものを選択する。ここで、映像オブジェクトの領域情報は、各々の映像オブジェクトに予め付加されている図形情報により規定されるものであり、映像オブジェクトの領域を大まかに表す例えば楕円（図８において点線で示される）からなる。図８の例は、ユーザが例えば点８００を押した場合であり、点８００は、映像オブジェクト３０２の領域内に含まれるため、この映像オブジェクト３０２すなわちウミヘビが選択される。
【００２９】
オブジェクト選択部１０５は、映像オブジェクトを選択すると、表示方法の指定を含むフレーム単位の映像オブジェクトデータＬ１０５において、この選択された映像オブジェクトのデータを参照し、同データのうちレーティングのみのデータを求めてプリファレンス変更部１０６に出力する。選択された映像オブジェクト３０２（図８参照）に対応するデータは図７のデータ７０１であり、プリファレンス変更部１０６にはレーティングの「危険な生物」を出力する。なお、選択された映像オブジェクトにレーティングが設定されていない場合は、プリファレンス変更部１０６は何も行わない。
【００３０】
プリファレンス変更部１０６は選択された映像オブジェクトのレーティングを参照して、プリファレンス記憶部１０３に記憶されたプリファレンスのうち、該当するレーティングの表示設定が「表示」の場合は「非表示に」、「非表示」の場合は「表示」に変更する。この例では、図７に示すように選択された映像オブジェクトのデータ７０１のレーティングは「危険な生物」であるので、プリファレンス変更部１０６は図６に示すプリファレンスのうち「危険な生物」の表示設定６０２を図９の９００に示すように「表示」から「非表示」に変更する。
【００３１】
ユーザが映像オブジェクトを指定してからプリファレンス変更部１０６がプリファレンスを変更するまでの処理は、視聴を中断することなく行われ、映像呈示装置が次のフレームの表示処理を行う前に完了するものとする。したがって、映像呈示装置は変更されたプリファレンスを使用して次のフレームの表示処理を行うことができ、これにより「危険な生物」であるウミヘビの映像オブジェクト３０２は即時に、図３（ｃ）のように非表示となる。
【００３２】
図１０は本実施形態の映像呈示装置が備える基本的な映像呈示機能を実現するための処理手順を示すフローチャートである。まず映像受信部１００が映像信号Ｌ１００を受信して映像データＬ１０１と映像オブジェクトデータＬ１０２に分離し（ステップＳ１０００）、映像オブジェクト蓄積部１０１が映像オブジェクトデータＬ１０２を蓄積してフレーム単位の映像オブジェクトデータＬ１０３を出力し（ステップＳ１００１）、オブジェクト表示方法決定部１０２がプリファレンス記憶部１０３に記憶されたプリファレンスに応じてフレーム単位の映像オブジェクトＬ１０３の表示方法を決定し（ステップＳ１００２）、そして呈示部１０４が映像データＬ１０１と表示方法の指定を含むフレーム単位の映像オブジェクトデータＬ１０５とを合成して画面に表示する（ステップＳ１００３）。
【００３３】
図１１は本実施形態の特徴に係るプリファレンス変更機能を実現するための処理手順を示すフローチャートである。この処理手順は図１０に示した処理手順と並列に動作する。まずオブジェクト選択部１０５は感圧式タッチパネルがユーザによって押されたかどうかを検出する（ステップＳ１１００）。タッチパネルが押されるまで、ステップＳ１１００は繰り返される。タッチパネルが押された場合はステップＳ１１０１に進み、オブジェクト選択部１０５はその押下された座標値を検出し、表示方法の指定を含むフレーム単位の映像オブジェクトＬ１０５の中からこの座標値と最も近い映像オブジェクトを選択する（ステップ１１０１）。次にプリファレンス変更部１０６は、プリファレンス記憶部１０３に記憶されたプリファレンスのうち、選択された映像オブジェクトのレーティングの表示設定を「表示」の場合は「非表示に」、「非表示」の場合は「表示」に変更する（ステップＳ１１０２）。
【００３４】
以上説明したように、本発明の第１の実施形態に係る映像呈示装置によれば、映像オブジェクトの呈示制御において参照されるユーザのプリファレンスを映像の視聴を中断することなく直接的に設定変更できる。なお、図１０および図１１等に示した処理手順は、これをコンピュータに実行させるためのプログラムとして実現することもできる。
【００３５】
以下、第１の実施形態の種々の変形例を説明する。
【００３６】
第１の実施形態の構成において、映像受信部１００は映像データＬ１０１と映像オブジェクトデータＬ１０２とを含む映像信号Ｌ１００を受信するものとして説明したが、映像データＬ１０１と映像オブジェクトＬ１０２とを別々に受信するようにしてもよい。例えば、映像データＬ１０１は放送で受信し、映像オブジェクトデータＬ１０２はインターネット経由でダウンロードしてもよい。あるいは、ＤＶＤ（Ｄｉｇｉｔａｌ  Ｖｅｒｓａｔｉｌｅ  Ｄｉｓｃ）から映像データＬ１０１と映像オブジェクトデータＬ１０２とを読み取ってもよい。
【００３７】
一つの映像オブジェクトにレーティングが一つしか付加されない場合について説明したが、複数のレーティングが付加されてもよい。この場合、オブジェクト表示方法決定部１０２は例え一つでも非表示のレーティングが付加されている場合はその映像オブジェクトを非表示とする。図１２は一つの映像オブジェクトに複数のレーティングを付加する場合の表示方法を含むフレーム単位の映像オブジェクトデータの一例を示すものであり、ウミヘビの映像オブジェクトには「危険な生物」と「水生動物」の２つのレーティングが付加されている。それぞれのレーティングについて図９に示したプリファレンスを参照すると、共に「表示」の表示設定なので、ウミヘビの映像オブジェクトの表示設定は「表示」である。「危険な生物」が「非表示」で「水生動物」が「表示」の設定ならば、ウミヘビの映像オブジェクトの表示設定は「非表示」である。第１の実施形態では、一つの映像オブジェクトにレーティングを一つしか付加しなかったので、プリファレンス変更部１０６は変更すべきプリファレンスの項目を一意に特定できたが、複数のレーティングが付加されている場合には、少なくともユーザが指定した映像オブジェクトの表示方法が変わるようにプリファレンスの設定を変更すればよい。例えば、図６に示すプリファレンス設定のときに、図１２に示す映像オブジェクトのうち、ウミヘビの映像オブジェクトが選択された場合、この映像オブジェクトの表示設定を「表示」から「非表示」にするためには、「危険な生物」または「水生動物」のどちらかのレーティングのプリファレンス設定を「非表示」に変更すればよい。逆にウミヘビの映像オブジェクトを「非表示」から「表示」にするためには、どちらのレーティングも「非表示」に設定されている場合には、ウミヘビの映像オブジェクトを表示させるために、両方のレーティングに対応するプリファレンス設定を「表示」に変更する。
【００３８】
図１２の例では、「水生動物」のレーティングは「大きな魚」と「小さな魚」とに付加されており、「水生動物」のプリファレンス設定を「非表示」にするとこれらのユーザが選択していない映像オブジェクトまでもが非表示になってしまう。そこで、変更すべきプリファレンスの候補が多数ある場合に、プリファレンス設定の変更の結果として、呈示中の映像オブジェクトの表示状態ができるだけ変更されないよう、プリファレンス変更部１０６が候補の特定を行ってもよい。例えば図１２の例では、プリファレンス変更部１０６が「水生動物」ではなく「危険な生物」を選択する。これにより、あるプリファレンス変更が不所望の影響を及ぼすことを防ぐことができる。
【００３９】
なお、映像オブジェクトに複数のレーティングが付加されている場合に、映像オブジェクトの表示状態を変更する処理は以下のように定式化できる。まず、画面に表示されている映像オブジェクトのうち、ＩＤがｉ番目に若いものをＤｉとして、この映像オブジェクトに付加されたレーティングを、図６に示すレーティングリストの各項目について該当する場合は１、該当しない場合は０で表して、これを行ベクトルｍｉとする。例えば図１２の１２０１に示す映像オブジェクトのレーティングは以下のように表せる。
【数１】
2006187034.tif 000003
【００４０】
ユーザプリファレンスも同様に、図６に示すレーティングの各項目を非表示に設定する場合は１、そうでない場合は０で表して、これを列ベクトルｐとする。例えば図６のプリファレンスは以下のように表せる。
【数２】
2006187034.tif 000004
【００４１】
Ｄｉの表示状態をｄｉとして、ｄ＝０の場合は非表示、ｄ≠０の場合の状態を表すものとするとｄ＝ｍｐでマッチング演算できる。このような映像オブジェクトがｎ個あるときの映像オブジェクトのメタデータを表す行列Ｍは以下のように表せる。
【数３】
2006187034.tif 000005
【００４２】
よって、ｎ個の映像オブジェクトのマッチング結果ｄは以下のように表せる。
【数４】
2006187034.tif 000006
【００４３】
例えば、図１２の映像オブジェクトの表示状態は以下のように表せる。
【数５】
2006187034.tif 000007
【００４４】
ここで、ユーザがマッチング結果ｄとは異なるｄ’を望む場合は、（式１）を満たすユーザプリファレンスｐ’でｐを置換すればよい。このようなｐ’を求める最も簡単な方法は、ｐ’と異なるすべての組み合わせについて式１００を満たすかを計算して、複数の解が存在する場合には正解の中からランダムに一つの値を選択すればよい。ｐ’を求める方法はこれに限らずその他の方法でもよい。解が存在しない場合にはこのモデルではユーザプリファレンスが矛盾することを示しており、この場合にはユーザプリファレンスの変更は行わずに、「好みが矛盾しています」という警告メッセージを表示する。
【００４５】
次に、映像受信部１００はメタデータを文字列として入力し、プリファレンス記憶部１０３はレーティングを「気持ち悪い生物」などの文字列で識別するものとして説明したが、これに限らず、レーティングを例えば記号、数字などの識別子により表現してもよい。
【００４６】
オブジェクト選択部１０５は、ユーザが指等で押下操作が可能な感圧式タッチパネルから構成されるものとして説明したがオブジェクト選択部１０５はこれに限らず、映像オブジェクトを一意に選択できるものであれば何でもよい。例えば、電磁式タブレットと電磁式スタイラスを用いてもよいし、タッチパネルの代わりに呈示中の映像オブジェクトにそれぞれ異なる数字を添付して表示しておき、この数字をリモコンから入力してもよい。
【００４７】
またオブジェクト選択部１０５では、ユーザがタッチパネル上で押した点が映像オブジェクトに付加された図形情報で表される楕円の中に入っているかどうかで判定したが、これに限らずユーザが映像オブジェクトを選択できる方法であれば何でもよい。例えば、ユーザが押した点と、各映像オブジェクトの中心座標との距離を求め、その距離が最も短いものが選択されるようにしてもよい。例えば図８の例では、ウミヘビの映像オブジェクトに付加された図形情報で表される楕円の中心座標８０１との距離は、他の映像オブジェクトと比較して一番近いため、これが選択される。
【００４８】
また、複数の映像オブジェクトが一括して選択されるようにしたり、ユーザがタッチパネルを押した座標値と最も近くにある映像オブジェクトの距離がしきい値Ｌｍａｘより小さい場合にのみ映像オブジェクトが選択されるようにして、あまりにも離れた場所にある映像オブジェクトが選択されるのを防いでもよい。
【００４９】
プリファレンス変更部１０６は、予め定義されたレーティング毎に、これを参照してプリファレンスを変更するものとして説明したが、レーティングに限らず、オブジェクト選択部１０５で選択された映像オブジェクトの表示状態を変更できるのであればどのような方法でもよい。言い替えれば、プリファレンスのデータ構造はレーティングから構成されるものに限定されない。
【００５０】
例えば、プリファレンス記憶部１０３が図１３に示すようなキーワードと表示設定とから構成されたテーブル形式のプリファレンスを記憶しており、オブジェクト表示方法決定部１０２が、例えば図５に示した映像オブジェクトの「名称」がキーワードを含むかどうかをそれぞれのキーワードについて調べ、これを含む場合は表示設定にしたがって映像オブジェクトを表示又は非表示にする。例えば、表示中のウミヘビの映像オブジェクトが選択された場合、この映像オブジェクトの「名称」すなわち「ウミヘビ」が図１３に示すキーワードのいずれかを含むかどうか検索を行う。この場合、キーワード「ヘビ」がマッチするから、ウミヘビの映像オブジェクトの表示設定を「非表示」にする。
【００５１】
なお、マッチするキーワードがない場合には、「名称」である「ウミヘビ」をそのままキーワードとして登録して、この表示設定を「非表示」に設定する。あるいは、「名称」の他に、より抽象的な「爬虫類」などのカテゴリを映像オブジェクトに付加しておけば、プリファレンスをカテゴリによって構築することができ、同様に扱うことができる。あるいは、レーティング、キーワード、カテゴリを併用してもよい。レーティングによる表示設定とキーワードによる表示設定が矛盾するような場合には、例えばレーティング、カテゴリ、キーワードの順といった具合に優先度を設けておけばよい。
【００５２】
プリファレンス記憶部１０３で設定する映像オブジェクトの表示状態は、「表示」と「非表示」の２種類であるとして説明したが、表示状態はこれに限らない。例えば、輝度を低くして背景に対して透けて表示させる「透過表示」、その透過度を段階的に表す数字、あるいは、「モザイク」や「塗りつぶし」、別の映像で置き換える「テクスチャ」等を表示状態としてもよい。
【００５３】
プリファレンス変更部１０６は、プリファレンスの変更を次のフレームを処理する前に完了するとしたが、変更は必ずしも瞬時に反映されなくてもよく、例えば映像呈示装置の処理能力、処理負担等の兼ね合いに依る。ユーザが映像オブジェクトを選択してから十分早い時間内に処理が完了すればよい。
【００５４】
映像オブジェクトを一つずつ非表示にする例を説明したが、複数の映像オブジェクトを一括して非表示にしてもよい。例えば、入力部に設けられた「緊急ボタン」が押されると、すべての映像オブジェクトを非表示にするといったことである。
【００５５】
オブジェクト呈示部１０４は、映像オブジェクトの画像のみを画面上に表示するものであったが、これに限らず映像オブジェクトに付加された情報を一緒に画面上に表示してもよい。例えば、「名称」を映像オブジェクトの下に表示することによって、非表示の映像オブジェクトが何なのかを知ることができる。映像オブジェクトが非表示の場合には、映像オブジェクトが何であるかを知ることができないので、その映像オブジェクトがユーザにとって表示しても構わないものであっても、表示設定を変更することができなかった。しかし、「名称」などのデータ項目を表示することによって、非表示の映像オブジェクトを表示に設定変更することが可能になる。
【００５６】
プリファレンス記憶部１０３はプリファレンスが変更された場合、その変更内容を設定として保持しつづけるが、プリファレンス変更の内容に有効期限を設けてもよい。例えば、プリファレンス変更部１０６がプリファレンスを変更するときに、例えば図１４に示すように「映像オブジェクトの消滅まで」の期限を表すフラグと元の設定値をテーブル形式で記憶しておいて、期限が過ぎると当該変更をキャンセルして元の設定値に戻してもよい。図１４の１４０２の例では、「危険な生物」の表示設定が「非表示」に設定されているが、この映像オブジェクトが消滅すると、元の設定値である「表示」に戻す。設定する期限は映像の出現を制御するものであればなんでもよく、映像オブジェクト消滅、番組終了、１日、１ヶ月などとしてよい。
【００５７】
オブジェクト選択部１０５は、ユーザからの入力があった場合にのみプリファレンス変更部１０６に表示設定変更を指示したが、設定条件に従って映像オブジェクトが自動的に選択されてもよい。例えば、非表示の映像オブジェクトは「名称」などのデータ項目が画面に表示されない限りそれが何なのかユーザには分からないため、ユーザにとって、たとえそれが表示しても構わない映像オブジェクトであったとしても、プリファレンスの表示設定を変更することができない。そこで、非表示の映像オブジェクトを例えば１日に１回などの周期的に、しかもランダムに選択して表示してもよい。もしもユーザがこの映像オブジェクトを本当に表示させたくない場合には、ユーザはその映像オブジェクトを選択すれば非表示にすることができ、表示させてもよい場合にはそれ以降はそのまま表示される。
【００５８】
映像オブジェクトの単位で表示状態を表示または非表示にするものとして説明したが、非表示に設定された映像オブジェクトが一つでも存在する場合に、その画面全体を非表示としてもよい。あるいは、非表示の映像オブジェクトを含むシーンから非表示の映像オブジェクトを含まないシーンまでスキップしてもよい。この再生方法は映像受信部１００がＤＶＤやＶＯＤ（Ｖｉｄｅｏ  Ｏｎ  Ｄｅｍａｎｄ）などのランダムアクセス可能な映像信号Ｌ１００を受信している場合に有効である。あるいは、非表示の映像オブジェクトが消滅するまでの時間を添付して表示したり、非表示の映像オブジェクトを含まないシーンまでの時間を画面に表示して、ユーザがスキップするかどうするかの判断を助けてもよい。
【００５９】
（第２の実施形態）
第１の実施形態の映像呈示装置は、オブジェクト選択部１０５が感圧式タッチパネル等からなり、映像オブジェクトをユーザが直接的に選択するよう構成されていたが、第２の実施形態では感圧式タッチパネルに代えてリモコン操作により映像オブジェクトを選択するよう構成したものである。
【００６０】
図１５は本発明の第２の実施形態に係る映像呈示装置の概略構成図である。図１に示した第１の実施形態の映像呈示装置に確定部１０７を加えた構成を有する。以下、第２の実施形態が第１の実施形態とは異なる点についてのみ説明する。
【００６１】
第２の実施形態のオブジェクト選択部１０５は、リモコン装置の「選択」ボタンが押されると、図１６に示すように、表示オブジェクトを順番に一つずつ選択する。なお、この時点では映像オブジェクトが選択されるのみで、プリファレンス変更は行われない。選択された映像オブジェクトは、そのＩＤがオブジェクト表示方法決定部１０２に通知される。図１７に示すように、例えば「ウミヘビ」の映像オブジェクトが選択されると、表示設定が１７０１に示すように「選択」となり、呈示部１０４はこの映像オブジェクトをハイライトする。
【００６２】
確定部１０７は、例えばリモコン装置の「確定」ボタンが押されると、その時点におけるオブジェクト選択部１０５による映像オブジェクトの選択を確定する。次に確定部１０７は、プリファレンス変更部１０６に対してプリファレンスの変更要求をする。例えば、プリファレンス記憶部１０３に記憶されたプリファレンスが図６に示したものである場合、「ウミヘビ」の映像オブジェクトが選択されているときに「確定」ボタンが押されると、確定部１０７はプリファレンス変更要求Ｌ１０８を出力する。プリファレンス変更部１０５は、プリファレンス変更要求Ｌ１０８を入力すると、オブジェクト選択部１０５から選択された映像オブジェクト情報Ｌ１０６を入力してプリファレンス記憶部１０３に記憶されたプリファレンスを図９のように変更する。
【００６３】
以上説明した第２実施形態の映像呈示装置によれば、感圧式タッチパネルを用いる第１の実施形態のような直感的な操作性は得られないが、第１の実施形態と同様に映像オブジェクトの呈示制御において参照されるユーザのプリファレンスを映像の視聴を中断することなく直接的に設定変更でき、しかもリモコン装置のような簡素で安価な装置を用いて実現することができ、コスト面等でメリットがある。
【００６４】
以下、第２の実施形態の変形例を説明する。
【００６５】
第２の実施形態のオブジェクト選択部１０５は、映像オブジェクトを一つずつ順番に選択するものであると説明したが、映像オブジェクトの選択方法は任意である。例えば、「逆順」ボタンを設けておき、これを押すと逆の順序で映像オブジェクトが選択されるようにしてもよい。
【００６６】
レーティングに優先度を付けておき、表示オブジェクトの中から優先度の最も高いものを自動的に選択するようにしてもよい。例えばプリファレンスが図６に示したレーティングの表示設定についてはテーブルの上から下に順番に優先度が割り振ってあるものとして、図７に示した表示映像オブジェクトが画面に表示されている場合には、表示中の映像オブジェクト「ウミヘビ」、「大きな魚」、「小さな魚」の３つのうち、そのレーティングの優先度が最も高い「危険な生物」である「ウミヘビ」を自動的に選択する。自動的に選択された映像オブジェクトが間違いであった場合でも、ユーザはリモコンの「選択」ボタンを押して別の映像オブジェクトを次々と選択できる。これにより自動的に選択した映像オブジェクトのレーティングよりも低い優先度のレーティングが選択された場合には、最終的に選択されたレーティングに対して自動的に選択したレーティングの一つ上の優先度をつける等の学習を行ってもよい。
【００６７】
また、第２の実施形態の確定部１０７はリモコン装置のボタンの押下操作に応じてプリファレンス変更要求Ｌ１０８を出力するものであるが、オブジェクト選択部１０５で最後にオブジェクトが選択されてからある一定時間が経過すると自動的にプリファレンス変更要求Ｌ１０８を出力して映像オブジェクトの選択を確定させてもよい。
【００６８】
（第３の実施形態）
図１８は本発明の第３実施形態に係る映像呈示装置の概略構成図である。第１の実施形態ならびに第２の実施形態は表示設定を変更したい映像オブジェクトの単位で選択を行うことによってユーザプリファレンスを修正するというものであったが、第３の実施形態は映像シーンの表示設定変更を指示することによって、ユーザプリファレンスを修正するものである。ユーザプリファレンスの修正単位が映像オブジェクト毎であるか映像シーン毎であるかの違いを除く他の構成は第１の実施形態とほぼ同様である。第１の実施形態では映像オブジェクトのメタデータを扱ったのに対して、第３の実施形態では映像シーンのメタデータを扱う。
【００６９】
図２０は第３の実施形態の映像呈示装置についての処理概要を説明するための図であり、例えばＤＶＤのような記録型のメディアの視聴時において、ユーザが見たくないシーンが再生されたとき、今後はこれと同種のシーンが再生されないようにユーザプリファレンスをリアルタイムに変更する例が示されている。図２０において、参照符号２０００は映像に付加されたメタデータ、２００１は映像を再生する様子、２００２はユーザからの指示をそれぞれ表しており、この図の例では、シーン２００３で暴力シーンが再生された場合に、ユーザがこれに気づいてこのシーンを見ないという指示２００２を出すと、その再生を中断して暴力シーン２００３の次のシーンにスキップするとともに、プリファレンス記憶部１８０３における設定内容を変更して以後は暴力シーン２００４等が再生されないようにする。本実施形態におけるプリファレンス変更も、映像の視聴を中断することなく行われる。再生が進んで暴力シーン２００４の再生位置が到来すると、プリファレンス記憶部１８０３のユーザプリファレンスが参照される。指示２００２によって暴力シーンが再生されないようにユーザプリファレンスが変更されているから、暴力シーン２００４は自動的にスキップされる。
【００７０】
図１８に示すように、第３の実施形態の映像呈示装置は、シーン情報を含む映像信号Ｌ１８００を受信して映像とシーン情報に分離する映像受信部１８００と、シーンデータＬ１８０２を蓄積してフレーム単位のシーンデータＬ１８０５を出力するシーン蓄積部１８０１と、ユーザのプリファレンスを記憶するプリファレンス記憶部１８０３と、フレーム単位のシーンデータＬ１８０５を入力してプリファレンスデータＬ１８０４を参照してシーンを表示するかどうかを決定するシーン表示方法決定部１８０２と、映像データＬ１８０１と表示方法を指定したフレーム単位のシーンデータＬ１８０５にしたがってシーンをユーザに呈示する呈示部１８０４と、ユーザがシーンの表示方法を変更の指示をするシーン指定部１８０５と、シーン選択信号Ｌ１８０５を入力するとシーン選択部１８０５で選択したシーンの表示方法が変更されるようにプリファレンス記憶部１８０３に記憶されたプリファレンスをプリファレンス変更指示信号Ｌ１８０７によって変更するプリファレンス変更部Ｌ１８０６とから構成される。
【００７１】
映像受信部１８００は映像信号Ｌ１８００を受信してこれをメタデータ分離回路によって映像データＬ１８０１とシーンデータＬ１８０２とに分離する。シーン蓄積部１８０１は複数のシーン情報を例えば図１９に示すように蓄積する。シーン情報はＩＤ１９００、シーンの出現時刻１９０１、レーティング１９０２とから構成されるテーブルである。テーブルでハイライトしている現在表示中のシーンデータ１９０３はシーン表示方法決定部１８０２に出力される。
【００７２】
プリファレンス記憶部１８０３は例えば図６に示すユーザのプリファレンスをレーティング６００と表示設定６０１とで表すようにしている。この点は第１および第２の実施形態と同様である。シーン表示方法決定部１８０２は、シーン蓄積部１８０１から入力した現在表示中のシーンデータＬ１８０３と、プリファレンス記憶部１８０３に記憶されたプリファレンスＬ１８０４とをマッチングすることによって、シーンを表示するかどうかを決定し、表示設定Ｌ１８０５を呈示部１８０４に出力する。呈示部１８０４は表示設定Ｌ１８０５が「表示」の場合には映像データＬ１８０１を画面に表示して、「非表示」の場合には画面に何も表示しない。
【００７３】
画面に表示しているシーンをユーザが見たくない場合に、例えばそのユーザがリモコン装置の「非表示」ボタンを押して、このシーンを非表示にする指示を入力する。するとシーン指定部１８０５は現在表示中のシーンに付加されたレーティングＬ１８０６をプリファレンス変更部１８０６に出力する。
【００７４】
プリファレンス変更部１８０６はプリファレンス変更の指示Ｌ１８０６を入力すると、プリファレンス記憶部１８０３に記憶されているプリファレンスのうち、該当するプリファレンスの表示設定を変更する。例えばプリファレンスが図６のように設定されていて図１９でハイライトされたシーン１９０３が選択された場合、プリファレンス変更部１８０６は「有害な生物」のレーティングを「表示」から「非表示」に変更する。これにより、プリファレンスは図９のように変更される。すると、次のフレームを表示するときに、シーン表示方法決定部１８０２はこのシーンを非表示にする。
【００７５】
以上説明した第２実施形態の映像呈示装置によれば、映像の視聴を中断することなく映像シーンの表示状態のプリファレンス設定を修正することができる。第３の実施形態では、非表示のシーンの再生中には画面に何も再生されないが、映像受信部１８００が例えばＤＶＤのような蓄積データやＶＯＤなどのランダムアクセス可能な映像信号Ｌ１８００を受信する場合には、この非表示のシーンをスキップしてもよい。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７７】
【図１】本発明の第１の実施形態に係る映像呈示装置の概略構成図
【図２】上記映像呈示装置の外観図
【図３】呈示部により表示される画面の一例を示す図
【図４】映像オブジェクト蓄積部に蓄積される映像オブジェクトデータの一例を示す図
【図５】映像オブジェクト蓄積部が出力するフレーム単位の映像オブジェクト情報の一例を示す図
【図６】プリファレンス記憶部に記憶されたプリファレンスの一例を示す図
【図７】オブジェクト表示方法決定部が出力する表示方法を含むフレーム単位の映像オブジェクトデータの一例を示す図
【図８】オブジェクト選択部が映像オブジェクトを選択する様子を説明するための図
【図９】プリファレンス変更部によるプリファレンスの変更結果を示す図
【図１０】映像呈示装置が備える基本的な映像呈示機能を実現するための処理手順を示すフローチャート
【図１１】プリファレンス変更機能を実現するための処理手順を示すフローチャート
【図１２】表示方法を含むフレーム単位の映像オブジェクトデータの一例を示す図であって、映像オブジェクトに複数のレーティングが付加される場合を示す図
【図１３】キーワードを持ちいて構成したプリファレンスの一例を示す図
【図１４】期限付きの表示設定が可能なプリファレンスの一例を示す図
【図１５】本発明の第２の実施形態に係る映像呈示装置の概略構成図
【図１６】オブジェクト選択部で映像オブジェクトを選択する様子を説明するための図
【図１７】オブジェクト表示方法決定部が出力する表示方法を含むフレーム単位の映像オブジェクトデータの一例を示す図
【図１８】本発明の第３の実施形態に係る映像呈示装置の概略構成図
【図１９】映像オブジェクト蓄積部に蓄積される映像シーン情報の一例を示す図
【図２０】ユーザプリファレンス変更によるシーンのスキップを説明するための図
【符号の説明】
【００７８】
１００…映像受信部、１０１…映像オブジェクト蓄積部、１０２…オブジェクト表示方法決定部、１０３…プリファレンス記憶部、１０４…呈示部、１０５…オブジェクト選択部、１０６…プリファレンス変更部
【図１】
2006187034.tif 000008
【図２】
2006187034.tif 000009
【図３】
2006187034.tif 000010
【図４】
2006187034.tif 000011
【図５】
2006187034.tif 000012
【図６】
2006187034.tif 000013
【図７】
2006187034.tif 000014
【図８】
2006187034.tif 000015
【図９】
2006187034.tif 000016
【図１０】
2006187034.tif 000017
【図１１】
2006187034.tif 000018
【図１２】
2006187034.tif 000019
【図１３】
2006187034.tif 000020
【図１４】
2006187034.tif 000021
【図１５】
2006187034.tif 000022
【図１６】
2006187034.tif 000023
【図１７】
2006187034.tif 000024
【図１８】
2006187034.tif 000025
【図１９】
2006187034.tif 000026
【図２０】
2006187034.tif 000027